(57)【特許請求の範囲】
【請求項１】
開口部サッシ（１）と、その外周に施工された外壁パネル（２）との間に形成される目地空間（ｍ）に沿って挿入されるとともに、前記開口部サッシ（１）側の内側側面部（１１ａ）が開口部サッシ（１）に固着され、前記外壁パネル（２）の施工により押圧される中空シール部（１１）と，および、該中空シール部（１１）から外壁パネル（２）側に突出するように一体成形され、前記外壁パネル（２）の施工時に先端部（１２ａ）が外壁パネル（２）の側端部（２ａ）に当接するシールリップ部（１２）と，を備え、横目地と縦目地が交わるコーナー部においては、前記中空シール部（１１）の外壁パネル（２）側の一部およびシールリップ部（１２）を切断し中空シール部（１１）内に屈曲自在の保持部材（３０）を差し込んでコーナー成形してなるものであって、前記中空シール部（１１）の外壁パネル（２）側の一部の切断により、残った中空シール部（１１）の開口部サッシ（１）側の外側に外壁パネル（２）側に延び、しかも前記外壁パネル（２）の施工時に先端部（２１ａ）が外壁パネル（２）の側端部（２ａ）に当接してシールする遮蔽リップ部（２１）を一体成形して、その遮蔽リップ部（２１）の幅（Ｌ1）を、前記保持部材（３０）が差し込まれてコーナー成形された部分を外部から覆って隠すような幅にし、その上、遮蔽リップ部（２１）の先端部の肉厚を厚くしたことを特徴とする乾式止水ガスケット。
【請求項２】
開口部サッシ（１）と、その外周に施工された外壁パネル（２）との間に形成される目地空間（ｍ）に沿って挿入されるとともに、前記開口部サッシ（１）側の内側側面部（１１ａ）が開口部サッシ（１）に固着され、前記外壁パネル（２）の施工により押圧される中空シール部（１１）と，および、該中空シール部（１１）から外壁パネル（２）側に突出するように一体成形され、前記外壁パネル（２）の施工時に先端部（１２ａ）が外壁パネル（２）の側端部（２ａ）に当接するシールリップ部（１２）と，を備え、前記シールリップ部（１２）が中空シール部（１１）の室内側でしかも内側側面部（１１ａ）の室内側端部よりも室内側に位置するように形成され、前記外壁パネル（２）の施工時に、前記シールリップ部（１２）に前記外壁パネル（２）の側面部（２ａ）が始めに当たり、前記中空シール部（１１）全体を室内側にズレ変形を起こさせ、前記シールリップ部（１２）と前記中空シール部（１１）の２点でシールしたものであって、横目地と縦目地が交わるコーナー部においては、前記中空シール部（１１）の外壁パネル（２）側の一部およびシールリップ部（１２）を切断し中空シール部（１１）内に屈曲自在の保持部材（３０）を差し込んでコーナー成形してなることを特徴とする乾式止水ガスケット。
【発明の詳細な説明】
【０００１】
【発明の属する技術分野】
本発明は、乾式止水ガスケットに関する。より詳しくは、建築物の開口部サッシと外壁パネル間の目地空間をシールする乾式止水ガスケットに関する。
【０００２】
【従来の技術】
建築物の矩形状の開口部サッシとその外周に施工された外壁パネルとの間に形成される同じく矩形状に延びる目地空間には、湿式のシーリング材を充填して目地を塞いで止水効果を高めるといった、湿式工法が採用されていて、従来、乾式のガスケットは採用されていなかった。
しかしながら、湿式のシーリング材を充填する方法は、横目地及び縦目地の全体にむらなくシーリング材を流し込む必要があるため施工作業が煩雑で、多くの作業時間を要する。さらに、流し込まれたシーリング材が乾燥するまでの養生期間が必要である。また、耐候性，耐久性の点で品質が劣り、施工作業，及び品質そのものも天候に左右されるという問題がある。
【０００３】
そこでこれら問題を解決するため本発明者は、図１乃至図５に示すような乾式止水ガスケット１０を発明した。以下、乾式止水ガスケット１０について説明する。なお、図１は乾式止水ガスケット１０の拡大断面図，図２は目地空間ｍに乾式止水ガスケット１０が挿入された状態を示す正面図，図３は図２のＡ−Ａ線拡大断面図，図４は図３の部分拡大断面図である。
【０００４】
乾式止水ガスケット１０は、中空シール部１１と中空シール部１１に一体成形されたシールリップ部１２とからなる環状のガスケットである。
中空シール部１１は、建築物に取り付けられる例えば矩形状の開口部サッシ１と、その外周に施工された外壁パネル２との間に形成され同じく矩形状に延びる目地空間ｍに沿って挿入されるものであり、開口部サッシ１側の内側側面部１１ａが平面状にされ開口部サッシ１に固着されている。また、中空シール部１１の断面形状は略Ｕ字形からなる曲面部１１ｂの開口部を平面状の内側側面部１１ａで塞いだものである。そして、中空シール部１１は、その固着後に外壁パネル２の施工により図４に示す矢印Ｆの方向に十分押圧されることにより止水効果がより高められるようになっている。すなわち、十分な押圧が得られるところで外壁パネル２が固定されるようになっている。
なお、開口部サッシ１に対する乾式止水ガスケット１０の固着は、平面状の内側側面部１１ａがブチルテープ３を介して開口部サッシ１に貼着されることによって行われているので、取り付けが簡単で特に工具や治具等を必要としない。
【０００５】
シールリップ部１２は、ゴム様弾性体からなる水返しリップで、中空シール部１１の曲面部１１ｂ外側から外壁パネル２側に向けて略水平に突出して延びるように中空シール部１１とともに押出成形により一体的に成形されたものである。このシールリップ部１２は、中空シール部１１の室内側に設けられたものであり、外壁パネル２の施工時にその先端部１２ａが外壁パネル２の側端部２ａに当接してその側端部２ａと曲面部１１ｂとの間から万が一浸入した水を導き室内側に浸水することを防止する役割を果たす。すなわち、上部の横目地から左右の縦目地に導水し下部の横目地に取り付けられた乾式止水ガスケット１０の下部に設けられた水切りパネル４から外部に水を排出するようになっている。
また、シールリップ部１２が外壁パネル２側に延びていることによって目地幅のバラツキを吸収することができる。
【０００６】
更に、シールリップ部１２の曲面部１１ｂ外側の成形位置は、内側側面部１１ａの室内側端部よりも室内側に位置するように形成されている。これによれば、図４に示すように、外壁パネル２の施工により矢印Ｆの方向に十分な押圧力が働くとシールリップ部１２に初めに当たり、この結果、中空シール部１１全体は室内側にズレ変形をおこす。そして、シールリップ部１２と中空シール部１１とが略ハの字状となり２点シールの状態となってシール力を高める。よって、中空シール部１１側のシール性に仮りに問題があってもシールリップ部１２で補助する構成となっている。その上、内側側面部１１ａの室内側端部に交わる曲面部１１ｂのつけ根部に凹部１３が形成され、シールリップ部１２の位置はこの凹部１３の位置よりも室内側に設けられているので、上述のように図４に示す押圧力Ｆが働くと凹部１３が中空シール部１１のズレ変形を一層助ける作用をする。よって、一層、シール力が高められるようになっている。
【０００７】
なお、下部の横目地に乾式止水ガスケット１０を取り付けることなく、すなわち、上部の横目地および左右縦目地にだけに沿うように形成した乾式止水ガスケット１０を取り付け、下部の横目地に相当する開口部サッシ１の底面には水切りパネル４だけを設けるようにしてもよい。また、開口部サッシ１の形状は矩形状であるが、例えば円形状や馬蹄形状などであってもよく、その形状は特に限定されるものではない。
【０００８】
このような乾式止水ガスケット１０によれば、十分な止水効果が安定して得られ、従来の湿式のシーリング材と比較して取り付けが簡単で施工時間の短縮化が図れる。また、蛇行や浮き沈みすることなく直進性に優れるため外観上の見栄えもよく、更に乾式止水ガスケットは中空シール部とシールリップ部からなる単純なものであるので安価に生産することができるといった効果が得られる。
【０００９】
【発明が解決しようとする課題】
しかしながら、乾式止水ガスケット１０のコーナー部は、乾式止水ガスケット１０の納まりが複雑なので、図５に示すように型成形されたコーナー部材１５を接着剤等で接合するようになっている。あるいは、図６に示すようにガスケット端部を略４５度に斜めに切断し、突き付け接合するようになっている。
これにより各辺を一連一体にして止水効果を十分発揮させようとするものであるが、コーナー部を型成形したり、あるいは切断した端部同士を接合する作業は煩雑で、長時間を要するという問題がある。
【００１０】
そこで本発明は、上記問題を解決するものであり、その目的とするところは、コーナー部加工が特に簡単で、施工時間の短縮化を図るとともに十分な止水効果を安定して得ることのできる乾式止水ガスケットを提供することにある。
【００１１】
【課題を解決するための手段】
上記の目的を達成するために、請求項１に記載の乾式止水ガスケットは、開口部サッシ（１）と、その外周に施工された外壁パネル（２）との間に形成される目地空間（ｍ）に沿って挿入されるとともに、前記開口部サッシ（１）側の内側側面部（１１ａ）が開口部サッシ（１）に固着され、前記外壁パネル（２）の施工により押圧される中空シール部（１１）と，および、該中空シール部（１１）から外壁パネル（２）側に突出するように一体成形され、前記外壁パネル（２）の施工時に先端部（１２ａ）が外壁パネル（２）の側端部（２ａ）に当接するシールリップ部（１２）と，を備え、横目地と縦目地が交わるコーナー部においては、前記中空シール部（１１）の外壁パネル（２）側の一部およびシールリップ部（１２）を切断し中空シール部（１１）内に屈曲自在の保持部材（３０）を差し込んでコーナー成形してなるものであって、前記中空シール部（１１）の外壁パネル（２）側の一部の切断により、残った中空シール部（１１）の開口部サッシ（１）側の外側に外壁パネル（２）側に延び、しかも前記外壁パネル（２）の施工時に先端部（２１ａ）が外壁パネル（２）の側端部（２ａ）に当接してシールする遮蔽リップ部（２１）を一体成形して、その遮蔽リップ部（２１）の幅（Ｌ1）を、前記保持部材（３０）が差し込まれてコーナー成形された部分を外部から覆って隠すような幅にし、その上、遮蔽リップ部（２１）の先端部の肉厚を厚くしたことを特徴とする。
【００１２】
また請求項２に記載の乾式止水ガスケットは、開口部サッシ（１）と、その外周に施工された外壁パネル（２）との間に形成される目地空間（ｍ）に沿って挿入されるとともに、前記開口部サッシ（１）側の内側側面部（１１ａ）が開口部サッシ（１）に固着され、前記外壁パネル（２）の施工により押圧される中空シール部（１１）と，および、該中空シール部（１１）から外壁パネル（２）側に突出するように一体成形され、前記外壁パネル（２）の施工時に先端部（１２ａ）が外壁パネル（２）の側端部（２ａ）に当接するシールリップ部（１２）と，を備え、前記シールリップ部（１２）が中空シール部（１１）の室内側でしかも内側側面部（１１ａ）の室内側端部よりも室内側に位置するように形成され、前記外壁パネル（２）の施工時に、前記シールリップ部（１２）に前記外壁パネル（２）の側面部（２ａ）が始めに当たり、前記中空シール部（１１）全体を室内側にズレ変形を起こさせ、前記シールリップ部（１２）と前記中空シール部（１１）の２点でシールしたものであって、横目地と縦目地が交わるコーナー部においては、前記中空シール部（１１）の外壁パネル（２）側の一部およびシールリップ部（１２）を切断し中空シール部（１１）内に屈曲自在の保持部材（３０）を差し込んでコーナー成形してなることを特徴とする。
【００１５】
請求項１に記載の乾式止水ガスケットは、中空シール部は開口部サッシ側の内側側面部が開口部サッシに固着されるとともに外壁パネルの施工により押圧され、シールリップ部は外壁パネルの施工時に先端部が外壁パネルの側端部に当接するようになっているので、乾式止水ガスケットであっても十分な止水効果が得られる。このような、乾式止水ガスケットは目地空間に挿入するだけでよいので、湿式シーリング材と比較して取り付けが簡単で施工時間の短縮化が図れる。また、シールリップ部が外壁パネル側に突出していることによって目地幅のバラツキを吸収することができる。
特に、横目地と縦目地が交わるコーナー部加工は、型成形や切断した端部を突き合わせるものではなく、中空シール部の外壁パネル側の一部およびシールリップ部を切断し中空シール部内に屈曲自在の保持部材を差し込むだけでよいのでコーナー部加工が非常に簡単で、施工時間の短縮化が図れる。
また、中空シール部に一体成形された遮蔽リップ部によってコーナー成形された部分は外部から覆って隠されるので外観上見栄えが良い。しかも、遮蔽リップ部は、外壁パネルの施工時にはシールリップ部とともに外壁パネルの側端部に当接するので、一層高い止水効果が得られる。
さらに、遮蔽リップ部の先端部の肉厚は厚くされているので、乾式止水ガスケットの取り付けによって遮蔽リップ部にかかる張力の影響は遮蔽リップ部が外壁パネルに当接することでやわらげられるようなはたらきをする。
【００１６】
また請求項２に記載の乾式止水ガスケットによれば、中空シール部は開口部サッシ側の内側側面部が開口部サッシに固着されるとともに外壁パネルの施工により押圧され、シールリップ部は外壁パネルの施工時に先端部が外壁パネルの側端部に当接するようになっているので、乾式止水ガスケットであっても十分な止水効果が得られる。このような、乾式止水ガスケットは目地空間に挿入するだけでよいので、湿式シーリング材と比較して取り付けが簡単で施工時間の短縮化が図れる。また、シールリップ部が外壁パネル側に突出していることによって目地幅のバラツキを吸収することができる。
特に、横目地と縦目地が交わるコーナー部加工は、型成形や切断した端部を突き合わせるものではなく、中空シール部の外壁パネル側の一部およびシールリップ部を切断し中空シール部内に屈曲自在の保持部材を差し込むだけでよいのでコーナー部加工が非常に簡単で、施工時間の短縮化が図れる。
また、内側側面部の室内側端部よりもシールリップ部が室内側にあるため、例えば図４に示すように、外壁パネルの施工により矢印Ｆの方向に十分な押圧力が働くとシールリップ部に初めに当たり、この結果、中空シール部全体は室内側にズレ変形をおこす。これにより、シールリップ部と中空シール部とが略ハの字状となり２点シールの状態となってシール力を高める。よって、中空シール部側のシール性に仮りに問題があってもシールリップ部で補助する構成となっている。
【００１９】
【発明の実施の形態】
図７乃至図１１を参照して、本発明の実施形態に係る乾式止水ガスケット２０について説明する。図７は本発明の実施形態に係る乾式止水ガスケット２０の拡大断面図，図８は目地空間ｍに乾式止水ガスケット２０が挿入された状態を示す正面図，図９は図８のＢ−Ｂ線拡大断面図，図１０は図８のＹ部拡大正面図，および図１１は図１０に示すＺ方向からコーナー部加工を見た外観図である。図７は図１０のＣ−Ｃ線拡大断面図に相当している。
なお、従来例（図１〜図６）で示した同一部分には同一符号を付しその説明を省略した。
【００２０】
本発明の実施形態に係る乾式止水ガスケット２０は、従来例で示した乾式止水ガスケット１０と同様に中空シール部１１と中空シール部１１に一体成形されたシールリップ部１２とからなる環状のガスケットであり、図８に示すように、横目地と縦目地が交わるコーナー部においては、図１０および図１１に示すように、中空シール部１１の外壁パネル２側の一部およびシールリップ部１２を切断し中空シール部１１内に屈曲自在の保持部材３０を差し込んでコーナー成形してなるものである。図１０において、符号Ｓは中空シール部１１の切断線を示す。
保持部材３０は、例えばＥＰＤＭスポンジなどのスポンジゴム様弾性体や可撓性を有する発泡樹脂などであり、差し込まれ接着されることにより中空シール部１１内で固定されている。これにより、コーナー部加工は簡単となり型成形や切断した端部の突き合せなどの煩わしい作業は不要となる。
【００２１】
また図７に示すように、中空シール部１１の外壁パネル２側の一部の切断により、残った中空シール部１１の開口部サッシ１側の外側となる、開口部サッシ１側の内側側面部１１ａの上部には外壁パネル２側に延びる遮蔽リップ部２１が中空シール部１１に一体成形されている。これにより、図１０に示すように、切断され保持部材３０が差し込まれコーナー成形された部分が外部から覆って隠されるようになっているので、外観上見栄えが良い。なお遮蔽リップ部２１の幅Ｌ1は、露出した保持部材３０を完全に覆い隠すような幅であることが好ましく、すなわち、図１０に示す保持部材３０の端部までの幅Ｌ0よりも大きいことが好ましい。
更に、遮蔽リップ部２１は外壁パネル２の施工時にその先端部２１ａが外壁パネル２の側端部２ａに当接してシールするようになっているので、シールリップ部１２とともに２重にシールされるので一層高い止水効果が得られる。
【００２２】
なお、遮蔽リップ部２１の先端部２１ａの肉厚は、図７に示すように、中空シール部１１側に厚くされている。これは、乾式止水ガスケット２０の取り付けによって遮蔽リップ部２１には大きい張力がかかるので外壁パネル２との当接で張力による影響をやわらげるためである。また遮蔽リップ部２１の外表面には装飾用のカラー材２２が貼着されている。
【００２３】
また乾式止水ガスケット２０は、乾式止水ガスケット１０と同様に、開口部サッシ１と、その外周に施工された外壁パネル２との間に形成され同じく矩形状に延びる目地空間ｍに沿って挿入されるように４辺長としてもよく、あるいは、３辺長、すなわち、下部の横目地に乾式止水ガスケット２０を取り付けることなく、上部の横目地および左右縦目地にだけに沿うように形成した乾式止水ガスケット２０を取り付け、下部の横目地に相当する開口部サッシ１の底面には水切りパネル４だけを設けるようにしてもよい。
【００２４】
次に、図１２を参照して本発明の実施形態に係る乾式止水ガスケット２０のコーナー部の加工手順を示す。これは、上述したように３辺長にした場合の例である。
まず、図１２（ａ）に示すように、左縦目地，上部の横目地，および右縦目地のそれぞれの長さを加えた距離に相当する長さ分、乾式止水ガスケット２０を押出成形した後、切断する。次に、図１２（ｂ）に示すように、各コーナー部に相当する部分の、中空シール部１１の外壁パネル２側の一部およびシールリップ部１２を切断する。つまり、中空シール部１１の開口部サッシ１側の一部となる内側側面部１１ａと遮蔽リップ部２１を残すようにして切断するものである。その後、図１２（ｃ）に示すように、乾式止水ガスケット２０は各コーナー部で折り曲げられ中空シール部１１内に屈曲自在の保持部材３０が差し込まれ接着されることでコーナー成形加工が施される。その後、乾式止水ガスケット２０は乾式止水ガスケット１０と同様に、目地空間ｍに挿入され、平面状の内側側面部１１ａがブチルテープ３を介して開口部サッシ１に貼着される。そして、中空シール部１１の十分な押圧が得られるところで外壁パネル２が固定される。
【００２５】
【発明の効果】
以上のとおり、請求項１に記載の乾式止水ガスケットによれば、中空シール部は開口部サッシ側の内側側面部が開口部サッシに固着されるとともに外壁パネルの施工により押圧され、シールリップ部は外壁パネルの施工時に先端部が外壁パネルの側端部に当接するようになっているので、乾式止水ガスケットであっても十分な止水効果が得られる。このような、乾式止水ガスケットは目地空間に挿入するだけでよいので、特に工具や治具等を使用することなく取り付けができるなど湿式シーリング材と比較して取り付けが簡単で施工時間の短縮化が図れる。また、蛇行や浮き沈みすることなく直進性に優れるため外観上の見栄えもよい。また、シールリップ部が外壁パネル側に突出していることによって目地幅のバラツキを吸収することができる。
特に、横目地と縦目地が交わるコーナー部加工は、型成形や切断した端部を突き合わせるものではなく、中空シール部の外壁パネル側の一部およびシールリップ部を切断し中空シール部内に屈曲自在の保持部材を差し込むだけでよいのでコーナー部加工が非常に簡単で、施工時間の短縮化が図れる。よって、製造工数の少ない、低コストの乾式止水ガスケットが提供される。
また乾式止水ガスケットをサッシに工場にて先付けする事により現場での作業工数の低減が出来る。
また、中空シール部に一体成形された遮蔽リップ部によってコーナー成形された部分は外部から覆って隠されるので外観上見栄えが良い。しかも、遮蔽リップ部は、外壁パネルの施工時にはシールリップ部とともに外壁パネルの側端部に当接するので、一層高い止水効果が得られる。
さらに、遮蔽リップ部の先端部の肉厚は厚くされているので、乾式止水ガスケットの取り付けによって遮蔽リップ部にかかる張力の影響は遮蔽リップ部が外壁パネルに当接することでやわらげられるようなはたらきをする。
【００２６】
また請求項２に記載の乾式止水ガスケットによれば、中空シール部は開口部サッシ側の内側側面部が開口部サッシに固着されるとともに外壁パネルの施工により押圧され、シールリップ部は外壁パネルの施工時に先端部が外壁パネルの側端部に当接するようになっているので、乾式止水ガスケットであっても十分な止水効果が得られる。このような、乾式止水ガスケットは目地空間に挿入するだけでよいので、湿式シーリング材と比較して取り付けが簡単で施工時間の短縮化が図れる。また、シールリップ部が外壁パネル側に突出していることによって目地幅のバラツキを吸収することができる。
特に、横目地と縦目地が交わるコーナー部加工は、型成形や切断した端部を突き合わせるものではなく、中空シール部の外壁パネル側の一部およびシールリップ部を切断し中空シール部内に屈曲自在の保持部材を差し込むだけでよいのでコーナー部加工が非常に簡単で、施工時間の短縮化が図れる。
また、内側側面部の室内側端部よりもシールリップ部が室内側にあるため、例えば図４に示すように、外壁パネルの施工により矢印Ｆの方向に十分な押圧力が働くとシールリップ部に初めに当たり、この結果、中空シール部全体は室内側にズレ変形をおこす。これにより、シールリップ部と中空シール部とが略ハの字状となり２点シールの状態となってシール力を高める。よって、中空シール部側のシール性に仮りに問題があってもシールリップ部で補助する構成となっている。
【図面の簡単な説明】
【図１】乾式止水ガスケット１０の拡大断面図である。
【図２】乾式止水ガスケット１０が目地空間ｍに挿入された状態を示す正面図である。
【図３】図２のＡ−Ａ線拡大断面図である。
【図４】図３の部分拡大断面図である。
【図５】コーナー部加工を示す、図２のＸ部拡大正面図である。
【図６】他のコーナー部加工を示す、図２のＸ部拡大正面図である。
【図７】本発明の実施形態に係る乾式止水ガスケット２０の拡大断面図である。
【図８】本発明の実施形態に係る乾式止水ガスケット２０が目地空間ｍに挿入された状態を示す正面図である。
【図９】図８のＢ−Ｂ線拡大断面図である。
【図１０】コーナー部加工を示す、図８のＹ部拡大正面図である。
【図１１】図１０に示すＺ方向からコーナー部加工を見た外観図である。
【図１２】本発明の実施形態に係る乾式止水ガスケット２０のコーナー部の加工手順の一部を示す正面図である。
【符号の説明】
１      開口部サッシ
２      外壁パネル
２ａ    側端部
３      ブチルテープ
４      水切りパネル
１０      乾式止水ガスケット
１１      中空シール部
１１ａ    内側側面部
１１ｂ    曲面部
１２      シールリップ部
１２ａ    先端部
１３      凹部
１５      コーナー部材
２０      乾式止水ガスケット
２１      遮蔽リップ部
２１ａ    先端部
２２      カラー材
３０      保持部材
ｍ      目地空間
【図１】
0003655418.tif 000002
【図２】
0003655418.tif 000003
【図３】
0003655418.tif 000004
【図４】
0003655418.tif 000005
【図５】
0003655418.tif 000006
【図６】
0003655418.tif 000007
【図７】
0003655418.tif 000008
【図８】
0003655418.tif 000009
【図９】
0003655418.tif 000010
【図１０】
0003655418.tif 000011
【図１１】
0003655418.tif 000012
【図１２】
0003655418.tif 000013